(57)【要約】【課題】コーナ一部の二枚の壁パネルの間に目地材を嵌め込むことで、コーナー部の二枚の壁パネルを、それぞれコーナー部の二枚の壁パネルに対して横並びで隣接された壁パネルの側へ移動して壁モールを要することなく連結する。【解決手段】コーナ一部２１の壁パネル１１、１３を床に仮設置し、仮設置された壁パネル１１、１３に隣接する壁パネル１２、１４を床に仮設置し、壁パネル１１、１３のコーナー部２１の浴室外側に連結材４１を配置し、浴室内側で、連結材４１と壁パネル１１の間に小目地材５１を嵌め込み、連結材４１と壁パネル１３の間に大目地材５２を嵌め込むことで、壁パネル１１、１３を壁パネル１２、１４側に寄せて、隣接された壁パネル１１、１２同士、壁パネル１３、１４同士を当接して連結するとともに、大目地材５２の表層部５４を浴室内側で壁パネル１１、１２同士の間に位置させる。【選択図】図２
2019082043.tif 000002
【特許請求の範囲】
【請求項１】
二枚の壁パネルを床パンまたはそれに類する壁積載部材のコーナー部に仮設置する工程と、仮設置された壁パネルに直線的に隣接する壁パネルを床パンまたはそれに類する壁積載部材にさらに仮設置する工程と、コーナー部の二枚の壁パネルの間に目地材を嵌め込むことでコーナー部を形成する壁パネルと直線的に隣接する壁パネル同士を当接させる工程とを備えたことを特徴とする壁パネルの組立方法。
【請求項２】
請求項１に記載の壁パネルの組立方法において、壁パネルのコーナー部の浴室外側には連結材が設けられており、目地材は連結材と二枚の壁パネルのそれぞれの間に嵌め込まれることを特徴とする壁パネルの組立方法。
【請求項３】
請求項２に記載の壁パネルの組立方法において、目地材は先に連結材と一方の壁パネルの間に嵌め込まれる小目地材と、小目地地材が嵌め込まれた後に連結材ともうー方の壁パネルの間に嵌め込まれる大目地材からなり、大目地材は浴室内側で壁パネル同士の間に位置する表層部を有することを特徴とする壁パネルの組立方法。
【請求項４】
請求項２に記載の壁パネルの組立方法において、目地材は表層部と挿入部を備え、挿入部は連結材と二枚の壁パネルのそれぞれの間に同時に挿入される二つの挿入片を備えていることを特徴とする壁バネ叶の組立方法。
【請求項５】
請求項１に記載の壁パネルの組立方法において、壁パネルのコーナー部は二枚の壁パネルが平行に対面するように略４５度に曲げられた形状に形成されており、壁パネル同士の対面部に目地材が嵌め込まれてなることを特徴とする壁パネルの組立方法。
【発明の詳細な説明】
【技術分野】
【０００１】
本発明は、壁パネルの組立方法に関し、例えば、浴室壁を複数の壁パネルを連結して組み立てる方法に関するものである。
【背景技術】
【０００２】
従来、二枚の壁パネルの一枚を横スライドして連結する構造、および互いに直交する二枚の壁パネルについても、壁パネルを横スライドしてコーナー部を形成する構成は知られている（特許文献１、２参照）。
【０００３】
また、互いに直交する二枚の壁パネルを連結するコーナー部に目地材を嵌め込む構成は知られている（特許文献３、４参照）。
【０００４】
さらに、従来、互いに接続すべき二枚の接続壁にそれぞれ突起を設け、二枚の接続壁を接続する連結材にそれぞれ設けられた孔に、二枚の接続壁にそれぞれ設けられた突起を嵌合させて連結する構造が知られている（特許文献４、５参照）。
【０００５】
同様の構造の従来のパネルの接続構造を図１０および図１１において説明する。このパネルの接続構造は、図１０（ａ）、（ｂ）に示すように、左右隣接された状態で配置された二枚の壁パネル１３０、１３１が、連結材１３２（図１１（ｂ）参照）によって連結される構成である。
【０００６】
二枚の壁パネル１３０、１３１は、それぞれその接続端に、図１０（ａ）、（ｂ）、図１１（ｃ）に示すように縦桟１３３が設けられており、この縦桟１３３には、図１１（ａ）に示すように、一部に太幅部１３４と細幅部１３５を有するスリット１３６が形成されている。
【０００７】
二枚の壁パネル１３０、１３１を連結する連結材１３２には、図１１（ｂ）、（ｃ）に示すように、二枚の壁パネル１３０、１３１のそれぞれのスリット１３６に対応して大径部１３７を有する突起１３８が設けられている。連結材１３２の突起１３８を、縦桟１３３のスリット１３６の太幅部１３４から挿入し、細幅部１３５に位置するように連結材１３２を下方に移動することで、二枚の壁パネル１３０、１３１をモール１３９を挟むようにして連結材１３２で連結することができる。
【先行技術文献】
【特許文献】
【０００８】
【特許文献１】実開平５−３２５９９号公報
【特許文献２】実開平６一８５８０９号公報
【特許文献３】実開昭５７−１８１８０９号公報
【特許文献４】特許第５０９２４４１号公報
【特許文献５】実開昭６３−１４６００８号公報
【特許文献６】特許第３１３９３５５号公報
【発明の概要】
【発明が解決しようとする課題】
【０００９】
浴室の壁構造において二枚の壁パネルを横並びで直線的に連結（平継ぎ）する接続構造では、外部への水の流出防止や組立のバラツキを吸収する（隠す）ために、従来は、モールを挿入している。しかしながら、意匠性の向上という観点からすると、モールを設けない方が好ましい。
【００１０】
また、止水性および意匠性の観点からすると、横並びで直線的に連結される壁パネル同士が互いに寄せて押し合う力が作用する構造とし、両者の隙間をなるべく小さくし、さらに組み付け強度を向上する構成とすることが好ましい。
【００１１】
特許文献１、２に示す従来例には、互いに直線的に連結される二枚の壁パネルの一方を横方向にスライドして近づける点は示されており、特許文献４、５には直交して連結する壁パネルのコーナー部に目地材を嵌め込む点は示されているが、いずれの文献に記載の発明には、二枚の壁パネルが寄せ合って押し合うような構成は開示されていないので、簡単な構成によって止水性が得られるという点は開示されていないものと考えられる。
【００１２】
図１０、図１１等に示された従来の接続構造では、互いに連結される二枚の壁パネル１３０、１３１が互いに寄せて押し合う力が作用するような構造ではないので、止水性を確保するために、二枚の壁パネル１３０、１３１の間にモール１３９を配置しなくてはならず、意匠性についてはさらに工夫を要するものと考えられる。
【００１３】
本発明は上記従来の問題を解決することを目的とするものであり、壁パネルの一端側が他の壁パネルとコーナー部で直角に連結され、他端側がさらに別の壁パネルと横並びで直線的に連結される構成を備えた壁構造における壁パネルの組立方法において、直線的に連結される二枚の壁パネルの接続端において、複雑な連結材やモールを配置することなく、互いに寄せて押し合う力を作用するような接続を可能とするとともに、止水性をおよび意匠性を向上させることを課題とする。
【課題を解決するための手段】
【００１４】
本発明は上記課題を解決するために、二枚の壁パネルを床パンまたはそれに類する壁積載部材のコーナー部に仮設置する工程と、仮設置された壁パネルに直線的に隣接する壁パネルを床パンまたはそれに類する壁積載部材にさらに仮設置する工程と、コーナー部の二枚の壁パネルの間に目地材を嵌め込むことでコーナー部を形成する壁パネルと直線的に隣接する壁パネル同士を当接させる工程とを備えたことを特徴とする壁パネルの組立方法を提供する。
【００１５】
壁パネルのコーナー部の浴室外側には連結材が設けられており、目地材は連結材と二枚の壁パネルのそれぞれの間に嵌め込まれることが好ましい。
【００１６】
目地材は先に連結材と一方の壁パネルの間に嵌め込まれる小目地材と、小目地地材が嵌め込まれた後に連結材ともうー方の壁パネルの間に嵌め込まれる大目地材からなり、大目地材は浴室内側で壁パネル同士の間に位置する表層部を有することが好ましい。
【００１７】
目地材は表層部と挿入部を備え、挿入部は連結材と二枚の壁パネルのそれぞれの間に同時に挿入される二つの挿入片を備えていることが好ましい。
【００１８】
壁パネルのコーナー部は二枚の壁パネルが平行に対面するように略４５度に曲げられた形状に形成されており、壁パネル同士の対面部に目地材が嵌め込まれてなることが好ましい。
【発明の効果】
【００１９】
本発明によると、コーナ一部の二枚の壁パネルを壁積載部材に仮設置してから、仮設置された壁パネルに互いに横並びで隣接する壁パネルを壁積載部材にさらに仮設置し、コーナー部の二枚の壁パネルの間に目地材を嵌め込むことで、横並びで隣接された壁パネル同士を当接して連結することができ、横並びで隣接された壁パネル同士の間にはモールが不要となる。
【図面の簡単な説明】
【００２０】
【図１】本発明に係る壁パネルの組立方法によって組み立てられた浴室ユニットの壁パネルを、背面側斜め下方から浴室ユニットの床の下面を見上げるように見た斜視図である。
【図２】本発明に係る壁パネルの組立方法の実施例１で形成される壁構造の一例である浴室における壁構造の平面図であり、（ａ）は組立途中の状態を示し、（ｂ）は組立後の状態を示す。
【図３】本発明に係る壁パネルの組立方法によって横並びで直線的に連結される二枚の壁パネルを左右に配置した状態を示す図であり、（ａ）は背面側から見た図であり、（ｂ）は平面図である。
【図４】本発明に係る壁パネルの組立方法によって直線的に連結される二枚の壁パネルの連結を説明する平面図であり、（ａ）は連結部に使用する支持材を示し、（ｂ）は連結前の状態を示し、（ｃ）は連結後の状態を示す図であり、（ｄ）は（ｃ）の要部拡大図である。
【図５】上記実施例１を説明するための平面図であり、（ａ）は互いに直交する壁パネルのコーナー部に連結材を配置した状態を示し、（ｂ）は目地材を挿入した状態を示す。
【図６】本発明に係る壁パネルの組立方法の実施例２で形成される壁構造の一例である浴室における壁構造の平面図であり、（ａ）は組立途中の状態を示し、（ｂ）は組立後の状態を示す。
【図７】上記実施例２を説明するための平面図であり、（ａ）は互いに直交する壁パネルのコーナー部に連結材を配置した状態を示し、（ｂ）は目地材を嵌め込んだ状態を示す。
【図８】本発明に係る壁パネルの組立方法の実施例３を説明するための平面図であり、（ａ）は互いに直交する壁パネルのコーナー部に連結材を配置し、目地材を嵌め込む前の状態を示し、（ｂ）は目地材を嵌め込んだ状態を示す。
【図９】本発明に係る壁パネルの組立方法の実施例４を説明するための平面図であり、（ａ）は互いに直交する壁パネルのコーナー部に連結材を配置し、目地材を嵌め込む前の状態を示し、（ｂ）は目地材を示し、（ｃ）は目地材を嵌め込んだ状態を示し、（ｄ）は嵌め込んだ目地材の状態を示す。
【図１０】従来の連結される二枚の壁パネルを隣接配置した状態を示し、（ａ）は背面側から見た図であり、（ｂ）は背面側から見た斜視図を示す。
【図１１】従来の接続構造を示す図であり、（ａ）は縦桟を背面側から見た図であり、（ｂ）は連結材を正面側から見た斜視図であり、（ｃ）は接続構造の平面図を示している。
【発明を実施するための形態】
【００２１】
本発明に係る壁パネルの組立方法を実施するための形態を実施例に基づき図面を参照して、以下説明する。
【実施例】
【００２２】
（実施例１）
第１の壁パネルと第２の壁パネルを、横並びで直線的に連結（平継ぎ）する方法として、前記したとおり、従来は、第１の壁パネルと第２の壁パネルの接続端を連結材で連結する方法がある。
【００２３】
しかし、本発明に係る壁パネルの組立方法は、第１の壁パネルと第２の壁パネルを横並びで直線的に連結する場合、第１の壁パネルと直交する第３の壁パネルのコーナー部に、目地材を嵌め込むことで、第１の壁パネルを第２の壁パネル側に寄せて、第１の壁パネルと第２の壁パネルを、連結材を必ずしも使用することなく、横並びで直線的に連結する壁パネルの組立方法である。
【００２４】
本発明に係る壁パネルの組立方法の実施例１を、図１〜図５を参照して、以下説明する。浴室ユニットは、四方が壁等で囲まれる構成であるが、本実施例１では、浴室ユニット１の床の上に、図２に示すように、正面壁６、左側壁７および右側壁８を、壁パネルを組み立てて設置するための壁パネルの組立方法を例として説明する。
【００２５】
本明細書では、正面壁６に対する浴室ユニット１の浴室内側を正面側とも言い、正面側から見て浴室外側を背面側とも言う。また、浴室内側（正面側）から見て、左右方向をそれぞれ左右側と言う。
【００２６】
壁パネルを積載して組み立てる浴室ユニット１の床は、床パンまたはそれに類する壁積載部材であり、このような床パンまたはそれに類する壁積載部材として、この実施例１では、図１に示すように、浴槽床２と洗い場床３から成る床４とする。
【００２７】
図２に示すように、正面壁６は、互いに直線的に横並びされて隣接する第１の壁パネル１１と第２の壁パネル１２を備えている。左側壁７は、互いに直線的に横並びされて隣接する第３の壁パネル１３と第４の壁パネル１４を備えている。右側壁８は、互いに直線的に横並びされて隣接する第５の壁パネル１５と第６の壁パネル１６を備えている。
【００２８】
図２に示すように、第１の壁パネル１１と第３の壁パネル１３は、コーナー部２１において互いに連結され、第２の壁パネル１２と第５の壁パネル１５は、別のコーナー部２１において互いに連結される。                    
【００２９】
図３（ａ）に示すように、互いに直線的に横並びされて連結される第１の壁パネル１１と第２の壁パネル１２は、互いに連結される側端部が、図３（ｂ）に示すように、互いに対面して配置される。
【００３０】
より詳細には、第１の壁パネル１１と第２の壁パネル１２は、それぞれその側端部には、背面側に直角に折り曲げられた平面視で略ム字型の起立部２５が形成されており、起立部２５が互いに対面するように配置される。
【００３１】
第１の壁パネル１１と第２の壁パネル１２が連結される際には、図４（ｂ）〜（ｄ）に示すように、第１の壁パネル１１と第２の壁パネル１２の側端部の背面側から支持材２８が配置される。支持材２８は、鋼材、樹脂材等で形成され、平面視で図４（ａ）〜（ｄ）に示すような形状の長細い部材で形成されている。
【００３２】
後記するが、第１の壁パネル１１と第２の壁パネル１２が連結される状態では、図４（ｃ）、（ｄ）に示すように、第１の壁パネル１１と第２の壁パネル１２が互いの方向に寄せられ、互いの起立部２５は止水パッキン２９を介して当接されるが、支持材２８は、このような起立部２５と止水パッキン２９を浴室外側から囲う状態となる。
【００３３】
第１の壁パネル１１、第２の壁パネル１２、第３の壁パネル１３および第５の壁パネル１５について、それぞれ他の壁パネルと直交するコーナー部２１における側端には、図２（ａ）、（ｂ）に示すような形状の側端部３５が形成されている。
【００３４】
この側端部３５の構成について、図５（ａ）、（ｂ）に示すように、第１の壁パネル１１と第３の壁パネル１３のコーナー部２１における側端部３５を例にあげて説明する。側端部３５は、壁パネル１１、１３の長手方向に延びる伸張部３６と、伸張部３６から壁パネル１１、１３の厚み方向に直角に折り曲げられた当接部３７と、当接部３７からさらに略４５°で折り返された平面視で略Ｌ字形の折返し部３８と、を備えている。なお、当接部３７と折返し部３８から成る部分の平面視の形状は、図２（ａ）、（ｂ）、図３（ｂ）等に示す起立部２５と同じである。
【００３５】
この実施例１の壁パネルの組立方法では、後記するが、コーナー部２１の浴室外側に連結材４１を配置する。連結材４１は、平面視で図５（ａ）、（ｂ）に示すように、直角部４２と、直角部４２の両端からそれぞれさらに直角に折り曲げられて連続する囲い込み部４３と、から一体に形成されている。直角部４２は、互いに直角に形成された縦部４６と横部４７を備えている。
【００３６】
直角部４２の両端の両端から形成された囲い込み部４３は、それぞれ第１の壁パネル１１および第３の壁パネル１３における当接部３７と折り返し部３８を、浴室の外側から囲い込むように形成されている。
【００３７】
（組立工程）
コーナー部２１において、第１の壁パネル１１と第３の壁パネル１３が直角に連結される壁パネルの接続構造は、第２の壁パネル１２と第５の壁パネル１５が直角に連結される壁パネルの接続構造と同じである。
【００３８】
従って、この実施例１の壁パネルの組立方法では、コーナー部２１において、第１の壁パネル１１と第３の壁パネル１３が直角に連結する接続構造を中心に、壁パネルの組立方法について工程順に説明する。
【００３９】
まず、第１の工程として、図５（ａ）に示すように、第１の壁パネル１１と第３の壁パネル１３を、平面視で直角となるように、床パンまたはそれに類する壁積載部材である床４の上に載置して仮設置する。
【００４０】
具体的には、床４の上に、第３の壁パネル１３を載置する。その次に、第３の壁パネル１３の背面側から連結材４１を配置する。さらに、第３の壁パネル１３に対して直角に、第１の壁パネル１１を配置する。このとき、連結材４１は、第１の壁パネル１１の背面側にも位置するようにする。
【００４１】
この工程によって、図５（ａ）に示すように、互いに直角に配置された第１の壁パネル１１と第３の壁パネル１３のコーナー部２１における浴室外側に、連結材４１が配置された状態となる。
【００４２】
より詳細には、図５（ａ）に示すように、連結材４１を、その直角部４２の縦部４６および横部４７は、それぞれ第１の壁パネル１１の当接部３７および第３の壁パネル１３の当接部３７に対面させる状態で仮設置される。
【００４３】
このように仮設置した第１の壁パネル１１において、第２の壁パネル１２と横並びで直線的に連結する側端部に対して、支持材２８を背面側から配置しておく。
【００４４】
次に第２の工程として、第２の壁パネル１２と第５の壁パネル１５が直角に連結される壁パネルのコーナー部２１についても、上記第１の工程と同様な作業を行い、図５（ａ）に示すように、第１の壁パネル１１と第３の壁パネル１３は、互いに直角となるように仮設置し、そのコーナー部２１における浴室外側に、連結材４１が配置された状態とする。
【００４５】
この第２の工程によって、第１の壁パネル１１と第２の壁パネル１２は、図４（ｂ）に示すように隣接し、それぞれの起立部２５同士が対面した状態となって、床４の上に積載されて仮設置されることとなる。そして、互いに対面する起立部２５の背面側から支持材２８が配置された状態にする。
【００４６】
なお、ここでは説明は省略するが、第４の壁パネル１４および第６の壁パネルが、それぞれ直角に連結する壁パネル（図示せず）とのコーナー部に関しても、それぞれ第１および第２の工程と同様な仮設置の工程を行う。
【００４７】
次に第３の工程として、コーナー部２１において、第１の壁パネル１１と第３の壁パネル１３の間に、目地材を嵌め込む。具体的には、図５（ｂ）に示すように、コーナー部２１において、連結材４１と第１の壁パネル１１の隙間、および第３の連結材４１と壁パネル１３の隙間に、それぞれ目地材を嵌め込む。
【００４８】
本実施例１では、目地材は、弾力性を有する樹脂材等で形成されており、平面視で図５（ｂ）に示すような形状の長尺状の小目地材５１と大目地材５２から成る。
【００４９】
大目地材５２は、図５（ｂ）に示すように、挿入部５３と表層部５４を有する。挿入部５３は、連結材４１の横部４７と第３の壁パネル１３の当接部３７の隙間に嵌め込まれる部分である。表層部５４は、浴室内側において第１の壁パネル１１と第３の壁パネル１３に当接する部分である。
【００５０】
目地材の嵌め込みにあたっては、まず、第１の壁パネル１１の当接部３７と連結材４１の縦部４６の隙間に、図５（ｂ）に示すように、小目地材５１を嵌め込む。
【００５１】
このように小目地材５１を嵌め込むと、小目地材５１に押されて第１の壁パネル１１は、図２（ａ）、図４（ｂ）の状態から図２（ｂ）、図５（ｂ）における矢印Ｘで示すように、第２の壁パネル１２に向けて移動する。
【００５２】
第２の壁パネル１２と第５のパネル１５のコーナー部２１についても、同様に小目地材５１を嵌め込むと、図２（ｂ）における矢印Ｘで示すように、第２の壁パネル１２も第１の壁パネル１１に向けて移動する。
【００５３】
このため、図２（ｂ）、図４（ｃ）、（ｄ）に示すように、第１の壁パネル１１の起立部２５と第２の壁パネル１２の起立部２５は、互い寄せ合って、止水パッキン２９を介して強く当接して密着する。
【００５４】
この状態では、支持材２８は、起立部２５に正面側と背面側から軽く当接しており、第１の壁パネル１１と第２の壁パネル１２が浴室の内外方向にずれたりすることを防止し、この状態を保持する。
【００５５】
そして、第３の壁パネル１３の当接部３７と直角部４２の横部４７の隙間に、図５（ｂ）に示すように、大目地材５２を嵌め込む。嵌め込まれた大目地材５２の表層部５４は、浴室内側で、第１の壁パネル１１と第２の壁パネル１２の間に位置し、第１の壁パネル１１の伸張部３６と第２の壁パネル１２の伸張部３６に当接する。
【００５６】
このように大目地材５２を嵌め込む、大目地材５２に押されて第３の壁パネル１３は、図２（ｂ）、図５（ｂ）における矢印Ｙで示すように、第４の壁パネル１４に向けて移動する。これによって、第３の壁パネル１３の起立部２５は、第４の壁パネル１４の起立部２５に止水パッキン２９を介して当接して、第３の壁パネル１３と第４の壁パネル１４を連結させる。
【００５７】
同様に、第２の壁パネル１２と第５のパネル１５のコーナー部２１についても、大目地材５２を嵌め込むと、図２（ｂ）における矢印Ｙで示すように、第５の壁パネル１５も第６の壁パネル１６に向けて移動するので、第５の壁パネル１５の起立部２５と第６の壁パネル１６の起立部２５は止水パッキン２９を介して当接し、第５の壁パネル１５と第６の壁パネル１６は連結される。
【００５８】
本発明に係る壁パネルの組立方法によれば、横並びで隣接する第１の壁パネル１１と第２の壁パネル１２の連結を、コーナー部２１の第１の壁パネル１１と第３の壁パネル１３の間、および第２の壁パネル１２と第５の壁パネル１５の間に、それぞれ目地材を嵌め込むことによって行うことが可能となるので、壁パネルの組立の手間が簡単となり、組立作業が短時間で行える。
【００５９】
また、本発明に係る壁パネルの組立方法によって組み立てられたコーナー部２１の接続構造によれば、コーナー部２１は、小目地材５１および大目地材５２によって止水される。特に、大目地材５２の表層部５４は、浴室内側において第１の壁パネル１１と第３の壁パネル１３に当接されるために、さらに止水効果が向上する。
【００６０】
そして、互いに横並びで直線的に連結される、第１の壁パネル１１と第２の壁パネル１２、第３の壁パネル１３と第４の壁パネル１４、および第５の壁パネル１５と第６の壁パネル１６についても、それぞれ対面する起立部２５同士が互いに当接して密着するために、図示しないが、対面する起立部２５の間に、モールなしで簡単なパッキンを装着した構成でも十分な止水効果が生じ、また隙間が小さくなり目立たないので、意匠性が向上する。
【００６１】
（実施例２）
本発明に係る壁パネルの組立方法の実施例２について、図６、図７を参照して、以下説明する。この実施例２は実施例１と基本的には略同じであり、コーナー部の二枚の壁パネルに目地材を嵌め込むことにより、二枚の壁パネルを、それぞれ横並びで直線的に連結すべき相手側のパネルに向けて移動して連結することを特徴とする組立方法である。従って、ここでは、実施例１と相違する点を中心に説明する。
【００６２】
本実施例２では、図２に示す実施例１と同様に、図６に示すように、正面壁６、左側壁７および右側壁８を、第１の壁パネル６１〜第６の壁パネル６６を互いに連結することによって組み立てる方法で説明する。
【００６３】
実施例２における、第１の壁パネル６１と第３の壁パネル６３のコーナー部７５、および第２の壁パネル６２と第５の壁パネル６５のコーナー部７５については、その壁パネルの組立方法および接続構造は、互いに同じであるので、ここでは、第１の壁パネル６１と第３の壁パネル６３を互いに直角に連結する接続構造を中心に、壁パネルの組立方法を説明する。
【００６４】
互いに直角に連結する第１の壁パネル６１と第３の壁パネル６３は、コーナー部７５において、連結される側端部７０に、それぞれ図７（ａ）、（ｂ）に示すように、伸張部７１、当接部７２および折返し部７３が形成されている。
【００６５】
伸張部７１は、壁パネル６１、６３の長手方向に延びる方向に形成されている。当接部７２は、伸張部７１の延長線に対して略４５°で壁パネル６１、６３の厚み方向に折り曲げられて形成されている。
【００６６】
第１の壁パネル６１の当接部７２と第３の壁パネル６３の当接部７２は、コーナー部７５において互いに平行に対面するように形成されている。折返し部７３は、当接部７２から略４５°で折り返されて形成されている。
【００６７】
第１の壁パネル６１と第３の壁パネル６３を直角に連結するコーナー部７５の浴室外側には、連結材７６が配置される。連結材７６は、図７（ａ）、（ｂ）に示すように、平面視で、互いに直角形をなす縦部７７と横部７８から成り、縦部７７と横部７８は、それぞれその先端にＬ字型の折返し部７９が形成されている。
【００６８】
第１の壁パネル６１と第２の壁パネル６２は、それぞれの側端部同士で互いに直線的に連結されるが、連結されるそれぞれの側端部には、図３（ｂ）に示す実施例１の第１の壁パネル１１と第２の壁パネル１２の側端部と同様に、起立部２５が形成されている。
【００６９】
そして、実施例１と同様に、連結の際には、図６（ｂ）に示すように、第１の壁パネル６１と第２の壁パネル６２の起立部２１同士は止水パッキン２９を介して当接され、起立部２１と止水パッキン２９は、浴室外側から支持材２８で囲われた状態となる。
【００７０】
（組立工程）                                            
実施例２においても、第１の壁パネル６１〜第６の壁パネル６６についての組立の工程は、実施例１と略同じである。しかし、コーナー部７５については、互いに直角に連結する側端部の構成および目地材の構成が異なる。ここでは、第１の壁パネル６１と第３の壁パネル６３のコーナー部７５を中心に、壁パネルの組立方法を工程順に説明する。
【００７１】
第１の壁パネル６１と第３の壁パネル６３を直角に連結するコーナー部７５の組立に際して、実施例１と同様に、第１の壁パネル６１と第３の壁パネル６３を、図６（ａ）、図７（ａ）に示すように、床４の上に仮設置する。
【００７２】
具体的には、第３の壁パネル６３を床４の上に載置し、次に壁パネル６３の背面側から連結材７６を配置し、さらに第１の壁パネル６１を床４の上に載置する。この仮設置においては、図７（ａ）に示すように、第１の壁パネル６１と第３の壁パネル６３は、当接部７２同士が互いに平行に対面するようにして、直角となるように配置される。
【００７３】
そして、連結材７６は、図７（ａ）に示すように、両パネルの側端部７０を浴室外側から被うように配置され、その縦部７７および横部７８は、それぞれ第３の壁パネル６３の折返し部７３および第１の壁パネル６１の折返し部７３に対面する状態となる。
【００７４】
そして、第２の壁パネル６２と連結する側端部には、その起立部２５の背面側から支持材２８を配置しておく。
【００７５】
さらに、第２の壁パネル６２と第５の壁パネル６５のコーナー部７５についても、同様の工程を行う。そして、第１の壁パネル６１と第２の壁パネル６２の起立部２５同士を対面させて、その背面側から、図６（ａ）に示すような状態に、支持材２８を配置しておく。
【００７６】
次に、コーナー部７５の第１の壁パネル６１と第３の壁パネル６３の間に目地材８３を嵌め込む。目地材８３は、平面視で図７（ｂ）に示すような長尺状部材であり、挿入部８４と表層部８５から成る。
【００７７】
挿入部８４は、第１の壁パネル６１の当接部７２と第３の壁パネル６３の当接部７２の隙間に嵌め込まれる。表層部８５は、浴室内側において、第１の壁パネル６１の伸張部７１と第３の壁パネル６３の伸張部７１に当接する。
【００７８】
このように目地材８３を嵌め込むと、第１の壁パネル６１は、図６（ｂ）、図７（ｂ）において矢印Ｘに示すように、第２の壁パネル６２に向けて移動する。これによって、第１の壁パネル６１の起立部２５を、図６（ｂ）に示すように、第２の壁パネル６２の起立部２５に当接させる。
【００７９】
同時に、第３の壁パネル６３は、図６（ｂ）、図７（ｂ）において矢印Ｙに示すように、第４の壁パネル６４に向けて移動する。これによって、第３の壁パネル６３の起立部２５を、図６（ｂ）に示すように、第４の壁パネル６４の起立部２５に当接させる。
【００８０】
なお、第２の壁パネル６２と第５の壁パネル６５のコーナー部７５についても、同様に目地材８３を嵌め込むと、第２の壁パネル６２は、第１の壁パネル６１に向けて移動するので、図６（ｂ）に示すように、互いの起立部２５は当接してより密着する。
【００８１】
同時に、第５の壁パネル６５は、第６の壁パネル６５に向けて移動する。これによって、第５の壁パネル６５の起立部２５を、図６（ｂ）に示すように、第６の壁パネル６５の起立部２５に当接させる。
【００８２】
以上の工程によって、第１の壁パネル６１と第３の壁パネル６３並びに第２の壁パネル６２と第５の壁パネル６５を、それぞれ互いに直角に連結するとともに、同時に、第１の壁パネル６１と第２の壁パネル６２、第３の壁パネル６３と第４の壁パネル６４並びに第５の壁パネル６５と第６の壁パネル６６を、それぞれ横並びで直線的に、互いに起立部２５を当接させて連結することができる。
【００８３】
本実施例２の壁パネルの組立方法によれば、横並びで直線的に隣接する第１の壁パネル６１と第２の壁パネル６２、第３の壁パネル６３と第４の壁パネル６４並びに第５の壁パネル６５と第６の壁パネル６６の連結を、コーナー部７５の第１の壁パネル６１と第３の壁パネル６３の間、およびコーナー部７５の第２の壁パネル６２と第５の壁パネル６５の間に、それぞれ目地材８３を嵌め込むことにより行うことが可能となるので、壁パネルの組立の手間が簡単となり、かつ組立作業が短時間で行える。
【００８４】
そして、横並びで直線的に隣接する壁パネルの間に、従来例のようなモールを装着することなく、簡単な止水パッキン２９を介装すれば、止水効果が生じ、また隙間が小さくなり目立たないので、意匠性が向上する。
【００８５】
（実施例３）
本発明に係る壁パネルの組立方法の実施例３について、図８を参照して、以下説明する。この実施例３は、実施例１と比較して、コーナー部における連結材および目地材の構成が異なるが、組立方法自体については、基本的には略同じである。従って、ここでは、コーナー部における連結材および目地材の構成を中心に説明する。
【００８６】
実施例３における互いに直角に連結される第１の壁パネル９１と第３の壁パネル９３のコーナー部９５おける側端部１００には、図８（ａ）、（ｂ）に示すように、それぞれ伸張部１０１から略直角に折り曲げられ当接部１０２が形成されている。
【００８７】
連結材１０６は、図８（ａ）、（ｂ）に示すように、湾曲部１０７と囲い込み部１０８から成る。湾曲部１０７は、第１の壁パネル９１の当接部１０２および第３の壁パネル９３の当接部１０２に対面するように湾曲状に形成されている。
【００８８】
囲い込み部１０８は、湾曲部１０７の両端に連成して形成されており、それぞれ第１の壁パネル９１の当接部１０２と第３の壁パネル９３の当接部１０２を、浴室の外側から囲い込むように形成されている。
【００８９】
目地材１１０は、弾性を有する樹脂材等で長尺状に形成されており、平面視で図８（ａ）に示すように、表層部１１１と挿入部１１２を有する。挿入部１１２は、表層部１１１から延びる二つの挿入片１１４から成る。表層部１１１において、二つの挿入片１１４が表層部１１１に連成する根元部の間には、溝１１３が形成されている。
【００９０】
コーナー部９５の組立は、実施例１と同様に、第３の壁パネル９３、連結材１０６および第１の壁パネル９１を、順次、床４上に載置して、これらの部材を仮設置する。この仮設置の状態では、連結材１０６の湾曲部１０７は、図８（ａ）に示すように、第１の壁パネル９１の当接部１０２および第３の壁パネル９３の当接部１０２に対して、それぞれ隙間を介して対面した状態で配置される。
【００９１】
床４上には、コーナー部９５において、連結材１０６、第１の壁パネル９１および第３の壁パネル９３が背面側にずれないように、平面視で図８（ａ）、（ｂ）に示すように、直角に形成されたバックガード１１６（床４から若干上方に突出した部材）が設けられている。
【００９２】
そして、図２（ａ）に示す実施例１と同様に、図示はしないが、互いに直角に連結し、また平継ぎする（横並びで直線的に連結する）第１の壁パネル９１〜第６の壁パネルを、それぞれ床４の上に仮設置した後、コーナー部９５における第１の壁パネル９１と第３の壁パネル９３の間に目地材１１０を嵌め込む。
【００９３】
目地材１１０の二つの挿入片１１４を、それぞれ同時に、連結材１０６の湾曲部１０７と第１の壁パネル９１の当接部１０２の隙間、および湾曲部１０７と第３の壁パネル９３の当接部１０２の隙間に嵌め込む。
【００９４】
このように挿入片１１４を嵌め込むと、表層部１１１が、第１の壁パネル９１と第３の壁パネル９３の浴室内側の内面に当接する。二つの挿入片１１４の根元には溝１１３が形成されているので、嵌め込みの際に、図８（ｂ）に示すように、二つの挿入片１１４は互いに離れる方向に開き、隙間に沿ってスムースに嵌め込むことが可能となる。
【００９５】
このように、コーナー部９５において、第１の壁パネル９１と第３の壁パネル９３の間に目地材１１０を嵌め込むと、第１の壁パネル９１と第３の壁パネル９３は、それぞれ図８（ｂ）の矢印Ｘ、Ｙに示すように、横並びで直線的に連結される相手側の壁パネルの方向に移動する。
【００９６】
そのため、図４（ｃ）、（ｄ）に示す実施例１と同様に、第１の壁パネル９１と第３の壁パネル（図示せず）は、起立部同士が互いに止水パッキンを介して当接されて連結される。なお、実施例３については特に図示はしないが、実施例１の図４（ｃ）、（ｄ）に示すように、起立部２５と止水パッキン２９は支持材２８で浴室外側から囲われる構成は、実施例１と同様である。実施例３の壁パネルの組立方法によれば、実施例１と同様の作用、効果が生じる。
【００９７】
（実施例４）
本発明に係る壁パネルの組立方法の実施例４について、図９を参照して、以下説明する。この実施例４は、実施例１と比較して、コーナー部２１における目地材の構成が異なるが、それ以外、組立方法については、同じである。従って、ここでは、コーナー部２１における目地材の構成を中心に説明する。なお、実施例４において、実施例１と同じ構成については同じ符号を使用する。
【００９８】
実施例４において、目地材は、小目地材１２０と大目地材１２１とからなる。小目地材１２０および大目地材１２１は、それぞれ弾性を有する樹脂材等で長尺状に形成されており、実施例１における小目地材５１および大目地材５２（図５（ｂ）参照）と略同じであり、挿入部１２２を有する。大目地１２１は表層部１２３を有する。
【００９９】
しかし、小目地材１２０の挿入部は図９（ａ）、（ｂ）に示すように、また大目地材１２１は図９（ａ）に示すように、それぞれ挿入部１２２は、嵌め込み前の外力がかかっていない状態で、平面視でくの字形に形成されている。
【０１００】
組立に際しては、図９（ｂ）に示すように、小目地材１２０および大目地材１２１を、それぞれ連結材４１の直角部４２の縦部４６と第１の壁パネル１１の当接部３７の隙間、および連結材４１の直角部４２の横部４７と第３の壁パネル１３の当接部３７の隙間に嵌め込む。
【０１０１】
これによって、実施例１の目地材と同様に、小目地材１２０および大目地材１２１の挿入部１２２によって、止水性を確保するとともに、大目地材１２１の表面層１２３が、第１の壁パネル１１および第３の壁パネル１３の浴室側の内面に当接し、止水性が強化される。
【０１０２】
小目地材１２０および大目地材１２１の挿入部１２２は、それぞれくの字形に曲げられて形成されているのでクッション性が高くなる。そのため、小目地材１２０および大目地材１２１をそれぞれ止水すべき隙間に嵌め込むと、それぞれ挿入部１２２は、隙間内面に弾力的に当接し曲がり角度は緩くはなる（図９（ｄ）参照。この図では小目地材１２０の例を示すが、大目地材１２１についても同様）が、依然として僅かにくの字形に保たれて内面に当接するので、止水性がより向上する。
【０１０３】
そして、このように小目地材１２０および大目地材１２１を、それぞれコーナー部２１において、第１の壁パネル１１と第３の壁パネル１３の間に嵌め込むと、実施例１と同様に、第１の壁パネル１１および第３の壁パネル１３は、図示はしないが、それぞれ横並びで直線的に連結される相手側の壁パネルの方向に移動し、横並びで直線的に連結される相手側の壁パネルと起立部同士を互いに止水パッキンを介して当接して連結することが可能となる。
【０１０４】
以上、本発明に係る壁パネルの組立方法を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１０５】
本発明に係る壁パネルの組立方法は上記のような構成であるから、浴室の壁パネル、その他、止水性、密封性を要する壁の接続構造の組み立て方法にも適用可能である。
【符号の説明】
【０１０６】
１  浴室ユニット                 
２  浴槽床                       
３  洗い場床
４  浴室ユニットの床                     
６  正面壁                       
７  左側壁                       
８  右側壁                       
１１、６１、９１  第１の壁パネル             
１２、６２  第２の壁パネル             
１３、６３、９３  第３の壁パネル             
１４、６４  第４の壁パネル             
１５、６５  第５の壁パネル             
１６、６６  第６の壁パネル             
２１、７５、９５  コーナー部                 
２５  起立部
２８  支持材
２９  止水パッキン                     
３５、７０、１００  壁パネルの側端部           
３６、７１、１０１  壁パネルの側端部の伸張部                     
３７、７２、１０２  壁パネルの側端部の当接部                     
３８、７３  壁パネルの側端部の折返し部                   
４１  連結材               
４２  連結材の直角部                     
４３  連結材の囲い込み部                     
４６  直角部の縦部               
４７  直角部の横部               
５１  小目地材               
５２  大目地材
５３  大目地材の挿入部
５４  大目地材の表層部
７６  連結材   
７７  連結材の縦部
７８  連結材の横部
７９  連結材の折返し部
８３  目地材
８４  目地材の挿入部   
８５  目地材の表層部
１０６  連結材
１０７  連結材の湾曲部
１０８  連結材の囲い込み部
１１０  目地材
１１１  目地材の表層部
１１２  目地材の挿入部
１１３  目地材の溝
１１４  目地材の挿入片
１１６  バックガード
１２０  小目地材
１２１  大目地材
１２２  目地材の挿入部
１２３  大目地材の表層部
１３０、１３１  壁パネル
１３２  連結材  
１３３  縦桟
１３４  太幅部
１３５  細幅部
１３６  スリット
１３７  大径部
１３８  突起
１３９  モール
【図１】
2019082043.tif 000003
【図２】
2019082043.tif 000004
【図３】
2019082043.tif 000005
【図４】
2019082043.tif 000006
【図５】
2019082043.tif 000007
【図６】
2019082043.tif 000008
【図７】
2019082043.tif 000009
【図８】
2019082043.tif 000010
【図９】
2019082043.tif 000011
【図１０】
2019082043.tif 000012
【図１１】
2019082043.tif 000013